(57)【要約】【課題】鉄塔に鳥が巣を作るのを効果的に防止することができると共に、鉄塔のメンテナンスの際に邪魔になりにくい鉄塔用の営巣防止装置を提供する。【解決手段】支柱２と横桁３とが連結されている鉄塔内側の隅部Ｅを上から覆うと共に上面１２が平滑である被覆部材１１と、被覆部材１１の上面１２を水平面に対して傾斜させて被覆部材１１を平坦部６の隅部Ｅに取り付ける取り付け部材２１とを備えている。取り付け部材２１は、被覆部材１１の上面１２を鉄塔１の中心Ｃ側に向かって下へ傾斜させて、被覆部材１１を取り付ける。【選択図】      図４
2013051935.tif 000002
【特許請求の範囲】
【請求項１】
支柱及びこの支柱を水平方向に繋ぐ横桁とを有する鉄塔の、当該支柱と当該横桁とが連結されている鉄塔内側の隅部を上から覆うと共に上面が平滑である被覆部材と、
前記被覆部材の上面を営巣材料が滑落可能に水平面に対して傾斜させて当該被覆部材を前記隅部に取り付ける取り付け部材と、
を備えたことを特徴とする鉄塔用の営巣防止装置。
【請求項２】
前記取り付け部材は、前記被覆部材の上面を鉄塔の中心側に向かって下へ傾斜させて、前記被覆部材を取り付ける請求項１に記載の鉄塔用の営巣防止装置。
【請求項３】
前記取り付け部材は、鉄塔の構成部材同士を連結している既設のボルトの先端に螺合するナット部を有している請求項１又は２に記載の鉄塔用の営巣防止装置。
【請求項４】
前記取り付け部材は、前記被覆部材の上面の傾斜角度を変更可能とする角度調整部を有している請求項１〜３のいずれか一項に記載の鉄塔用の営巣防止装置。
【請求項５】
前記取り付け部材は、前記被覆部材の高さを変更可能とする高さ調整部を有している請求項１〜４のいずれか一項に記載の鉄塔用の営巣防止装置。
【請求項６】
前記取り付け部材は、前記被覆部材と一体である固定部材と、前記固定部材に形成されている孔を通過させると共に鉄塔の構成部材の一部を周回して当該固定部材を当該構成部材の一部と共締めする帯部材とを有し、
前記孔は、前記構成部材の一部の大きさに応じて、複数形成されている請求項１又は２に記載の鉄塔用の営巣防止装置。
【発明の詳細な説明】
【技術分野】
【０００１】
本発明は、鉄塔に鳥が巣を作るのを防止する営巣防止装置に関する。
【背景技術】
【０００２】
送電線を支持する鉄塔に鳥が巣を作ると、その巣を構成する営巣材料による短絡事故が発生するおそれがあり、また、鳥の糞や鳴き声などによって鉄塔の近隣の住民に迷惑をかけることから、様々な型式の営巣防止装置が提案されている。なお、営巣材料には、枝などの木材の他に、ワイヤーなどの金属線が含まれており、金属線からなる営巣材料の場合、特に短絡事故が発生しやすくなる。
【０００３】
従来の営巣防止装置として、風を受けると回転する回転体を有する装置や、光を反射する反射板を有する装置などがあるが、これらの場合、設置初期では効果を有するが、時間が経過すると鳥が慣れてしまい、巣を作ってしまうことがある。
また、従来の営巣防止装置として、特許文献１に開示されているように、支柱及びこの支柱を水平方向に繋ぐ横桁とを有する鉄塔のうち、横桁が平面視矩形に組まれて得た平坦部の上に、四角錐を成すように板部材が組み立てられ、これら板部材によって、前記平坦部の全体を覆う装置が提案されている。
【先行技術文献】
【特許文献】
【０００４】
【特許文献１】特開２００９−２２２３７号公報（図１参照）
【発明の概要】
【発明が解決しようとする課題】
【０００５】
特許文献１に記載の営巣防止装置によれば、鉄塔の平坦部に鳥が巣を作ろうとしても、営巣材料が滑って落下してしまい、巣を作ることが不可能である。しかし、鉄塔は、すべて同じ大きさではなく、鉄塔それぞれによって平坦部の寸法が異なるため、鉄塔毎に寸法を合わせて装置を製造する必要があり、汎用性がない。
また、特許文献１に記載の営巣防止装置では、鉄塔の平坦部を全面覆ってしまうため、作業者が鉄塔上で作業を行う際に、平坦部を足場として用いることができない。つまり、特許文献１に記載の営巣防止装置が平坦部に取り付けられると、足場を確保することができず、メンテナンスなどの作業の際に営巣防止装置が邪魔になるという問題点がある。
【０００６】
そこで、本発明の目的は、鉄塔に鳥が巣を作るのを効果的に防止することができると共に、鉄塔のメンテナンスの際に邪魔になりにくい鉄塔用の営巣防止装置を提供する。
【課題を解決するための手段】
【０００７】
本発明の鉄塔用の営巣防止装置は、支柱及びこの支柱を水平方向に繋ぐ横桁とを有する鉄塔の、当該支柱と当該横桁とが連結されている鉄塔内側の隅部を上から覆うと共に上面が平滑である被覆部材と、前記被覆部材の上面を営巣材料が滑落可能に水平面に対して傾斜させて当該被覆部材を前記隅部に取り付ける取り付け部材とを備えたことを特徴とする。
【０００８】
本発明の発明者は、鉄塔の支柱と横桁とが連結されている鉄塔内側の隅部、つまり、横桁が平面視矩形に組まれて得た平坦部のうち支柱が近くに存在している隅部に、鳥は巣を作るという習性に着目し、本発明では、この隅部に、上面が水平面に対して傾斜する被覆部材が設置される。これにより鳥は、隅部に巣を作ることができず、営巣防止の効果が継続して発揮される。
そして、被覆部材は、取り付け部材によって鉄塔の隅部に取り付けられるため、横桁が平面視矩形に組まれて得た平坦部の隅部以外の領域に作業者の足場を確保することができ、鉄塔のメンテナンス作業の邪魔になりにくい。
また、この営巣防止装置は、平坦部の隅部に設置されることから、平坦部の寸法が異なる様々な鉄塔に適用することができる。
【０００９】
また、前記取り付け部材は、前記被覆部材の上面を鉄塔の中心側に向かって下へ傾斜させて、前記被覆部材を取り付けるのが好ましい。
この場合、仮に被覆部材の上に、鳥が営巣材料を運んできても、その営巣材料を落下させ営巣を防ぎ、しかも、営巣材料を鉄塔の中心側に向かって落下させるので、例えば近隣の住宅地側に営巣材料が落下するのを防ぐことができる。
【００１０】
また、前記取り付け部材は、鉄塔の構成部材同士を連結している既設のボルトの先端に螺合するナット部を有しているのが好ましい。
この場合、取り付け部材が有しているナット部を、鉄塔の既設のボルトに螺合させることで、被覆部材を鉄塔に取り付けることができ、営巣防止装置の鉄塔への取り付けが容易であり、また取り付け構造が煩雑とならない。
【００１１】
また、前記取り付け部材は、前記被覆部材の上面の傾斜角度を変更可能とする角度調整部を有しているのが好ましい。
この場合、被覆部材の上面の傾斜角度を変更することで、鉄塔に応じて、被覆部材の上面を営巣防止に好ましい傾斜角度に調整することができる。
【００１２】
また、前記取り付け部材は、前記被覆部材の高さを変更可能とする高さ調整部を有しているのが好ましい。
この場合、被覆部材の高さを変更することで、鉄塔に応じて、被覆部材を営巣防止に好ましい高さに調整することができる。
【００１３】
また、前記取り付け部材は、前記被覆部材と一体である固定部材と、前記固定部材に形成されている孔を通過させると共に鉄塔の構成部材の一部を周回して当該固定部材を当該構成部材の一部と共締めする帯部材とを有し、前記孔は、前記構成部材の一部の大きさに応じて、複数形成されているのが好ましい。
この場合、被覆部材と一体である固定部材に形成されている孔に帯部材を通過させ、さらに、この帯部材を鉄塔の支柱の一部を周回させることで、被覆部材を鉄塔に取り付けることができる。さらに、孔は複数形成されていることから、この鉄塔の構成部材の一部の大きさに応じて、帯部材を通過させる孔を変更することができ、様々な鉄塔に営巣防止装置を取り付けることが可能となる。
【発明の効果】
【００１４】
本発明の鉄塔用の営巣防止装置によれば、鳥は、支柱が近くに存在している鉄塔内側の隅部に巣を作るという習性に着目し、この隅部に被覆部材を設置することができるので、営巣防止の効果を継続して発揮することができる。また、横桁が平面視矩形に組まれて得た平坦部の隅部以外の領域に作業者の足場が確保され、鉄塔のメンテナンス作業の邪魔になりにくい。
【図面の簡単な説明】
【００１５】
【図１】本発明の営巣防止装置が設置される鉄塔の一例を示す概略図である。
【図２】（Ａ）は、鉄塔の一部（図１のＡ部）の側面図であり、（Ｂ）は、この一部の平面図である。
【図３】（Ａ）は、営巣防止装置１０が設置されている鉄塔の一部（図１のＡ部）の側面図であり、（Ｂ）は、この一部の平面図である。
【図４】営巣防止装置（第１実施形態）の側面図である。
【図５】営巣防止装置（第１実施形態）の平面図である。
【図６】営巣防止装置（第２実施形態）の側面図である。
【図７】営巣防止装置（第２実施形態）の平面図である。
【図８】固定部材が取り付けられる支柱側から固定部材を見た図である。
【発明を実施するための形態】
【００１６】
以下、本発明の実施の形態を図面に基づいて説明する。
図１は、本発明の営巣防止装置が設置される鉄塔の一例を示す概略図である。鉄塔１は、構成部材として、高さ方向に長い支柱２と、支柱２を水平方向に繋ぐ複数の横桁３とを有しており、これら支柱２と横桁３とが連結されて組み立てられた骨組み構造である。なお、支柱２及び横桁３は、鋼製の等辺山型鋼などの型鋼からなる。
図２（Ａ）は、鉄塔１の一部（図１のＡ部）の側面図であり、図２（Ｂ）は、この一部の平面図である。支柱２と横桁３との一方に、板状の部材（ブラケット）５が溶接固定されており、この板状の部材５に、支柱２と横桁３との内の他方がボルトナット４によって固定されている。
【００１７】
そして、この鉄塔１には、複数本の横桁３によって水平状な枠状となっている平坦部６が、高さ方向の複数カ所に構成されている。なお、平坦部６は、鉄塔の構成部材である横桁３によって平面視矩形に構成され上面がほぼ水平となる鉄塔内側の領域である。
図２（Ｂ）に示すように、各平坦部６は、四本の横桁３と、対角線を結ぶ二本の横桁３とによって構成されている。そして、支柱２が、平坦部５の四つ角に設けられており、各支柱２の内側（鉄塔１の中心Ｃ側）が、平坦部６の隅部Ｅとなる。この平坦部６の隅部Ｅにおいて支柱２と横桁３とが板状の部材５を介して連結されている。
そして、図３（Ａ）と（Ｂ）とに示しているように、図２に示した鉄塔１の平坦部６の四隅それぞれに、営巣防止装置１０が設置されている。
【００１８】
図４は、営巣防止装置１０（第１実施形態）の側面図である。この営巣防止装置１０は、支柱２と横桁３とが連結されている鉄塔内側の隅部Ｅを上から覆うと共に上面１２が平滑である被覆部材１１と、この被覆部材１１を平坦部６の隅部Ｅに取り付ける取り付け部材２１とを備えている。図５は営巣防止装置１０の平面図であり、被覆部材１１を二点鎖線で示している。
【００１９】
被覆部材１１は、矩形の板部材であり、例えば樹脂製の板からなる。本実施形態では、被覆部材１１の上面１２は、平坦でありかつ平滑な面である。なお、図示しないが、山型でありかつ山の両側が平滑な面であってもよい。
そして、取り付け部材２１は、被覆部材１１の上面１２を水平面に対して傾斜させて、この被覆部材１１取り付けている。図４では、水平面に対する上面１２の傾斜角度をθで示している。
【００２０】
本実施形態の取り付け部材２１は、被覆部材１１を固定している第１アーム２２と、第１アーム２２の一端部をボルト２３によって固定している第２アーム２４と、第２アーム２４を固定している軸２５と、軸２５を平坦部６の隅部Ｅに固定する固定部材２６とを有している。
【００２１】
この取り付け部材２１は、被覆部材１１の上面１２の傾斜角度θを変更可能とする角度調整部２７を有している。つまり、固定部材２６は、軸２５を、軸２５の長手方向が高さ方向となるように支持し、第２アーム２４はこの軸２５から水平方向に延びている部材であり、ボルト２３を緩めることにより、この第２アーム２４に対する第１アーム２２の角度を変更することができる。この角度の変更により、第１アーム２２に固定の被覆部材１１の傾斜角度を変更することができる。本実施形態では、角度調整部２７は、第１アーム２２、第２アーム２４及びボルト２３からなる。
【００２２】
図３と図４とに示しているように、取り付け部材２１は、被覆部材１１の上面１２を鉄塔１の中心Ｃ側に向かって下へ傾斜させて、被覆部材１１を取り付けている。鉄塔１の中心Ｃは、平面視における断面中心である。四隅に設置されている営巣防止装置１０それぞれにおいて、被覆部材１１の上面１２の傾斜方向は、中心Ｃ側に向かって下に傾斜した方向である。
【００２３】
さらに、取り付け部材２１は、被覆部材１１の高さを変更可能とする高さ調整部２８を有している。つまり、図４に示しているように、軸２５にねじが形成されており、第２アーム２４の端部には、この軸２５を挿通する孔２９が形成されており、取り付け部材２１は、さらに、第２アーム２４の端部を上下挟むと共に軸２５のねじに螺合する上下のナット３０，３１を有している。ナット３０，３１を回転させることによって、軸２５のねじに対するナット３０，３１の高さを変更することができる。この高さの変更により、第２アーム２４の高さが変更され、被覆部材１１の高さを調整することができる。本実施形態では、高さ調整部２８は、ねじが形成されている軸２５及びナット３０，３１からなる。
【００２４】
本実施形態の取り付け部材２１が有している前記固定部材２６は、ボルト孔３２が形成されているナット部３３を有しており、このナット部３３は、鉄塔１の構成部材同士を連結している既設の前記ボルトナット４のボルト４ａの先端に螺合する。つまり、ナット部３３は、ボルト４ａの出代部分に螺合する。なお、鉄塔１の構成部材には、支柱２、横桁３及び板状の部材５が含まれている。本実施形態では、ナット部３３を螺合させるボルト４ａは、ボルト先端が上に向いており構成部材（本実施形態では板状の部材５）から上に突出しているボルトである。
【００２５】
このように、ナット部３３を、鉄塔１の既設のボルト４ａに螺合させることで、このナット部３３（固定部材２６）を有している取り付け部材２１によって、被覆部材１１を鉄塔１に取り付けることができる。つまり、このナット部３３によれば、営巣防止装置１０の鉄塔１への取り付けが容易であり、また取り付け構造が煩雑とならない。
【００２６】
以上の本実施形態に係る営巣防止装置１０によれば、鉄塔１の平坦部６のうち、高さ方向に延びる支柱２が近くに存在している隅部Ｅに、上面１２が傾斜している被覆部材１１を設置することができ、この被覆部材１１によって、営巣材料を滑落させることができ、鳥はこの隅部Ｅに巣を作ることができない。そして、この営巣防止装置１０により、鉄塔１における営巣防止の効果を継続して発揮することができる。
なお、本発明は、鉄塔１の平坦部６のうち、支柱２が近くに存在している隅部Ｅに、鳥は巣を作るという習性に着目したことによる。支柱２が近くに存在している隅部Ｅに鳥が巣を作る理由は、図２（Ｂ）に示すように、隅部Ｅでは、板状の部材５によって水平面が広く確保されておりかつ営巣材料が引っ掛かる構成部材が集中した箇所であって営巣を行うには好都合であり、また、支柱２によって風の影響を受けるのを防ぐこができるためであると推測される。
【００２７】
そして、取り付け部材２１によって、被覆部材１１の上面１２が鉄塔１の中心Ｃ側に向かって下へ傾斜するように、被覆部材１１は取り付けられているので、仮に被覆部材１１の上に鳥が営巣材料を運んできても、その営巣材料を鉄塔１の中心Ｃ側に向かって落下させるので、例えば鉄塔１の近隣の住宅地側に営巣材料が落下するのを防ぐことができる。
【００２８】
また、本実施形態では、角度調整部２７によって、被覆部材１１の上面１２の傾斜角度θを変更することができるので、鉄塔１（平坦部６）に応じて、被覆部材１１の上面１２を営巣防止に好ましい傾斜角度に調整することができる。
また、本実施形態では、高さ調整部２８によって、被覆部材１１の高さを変更することができるので、鉄塔１に応じて、被覆部材１１を営巣防止に好ましい高さに調整することができる。
【００２９】
そして、被覆部材１１は、取り付け部材２１によって鉄塔１の平坦部６の隅部Ｅに取り付けられるため、鉄塔１のメンテナンスの際に、この営巣防止装置１０を取り外さなくても、平坦部６の隅部Ｅ以外の大部分の領域に作業者の足場を確保することができ、メンテナンス作業の邪魔になりにくい。
また、取り付け部材２１を、平坦部６の隅部Ｅに既設のボルト４ａに取り付ければよく、つまり、営巣防止装置１０を平坦部６の四隅にのみ設置すればよいため、平坦部６の寸法が異なる様々な鉄塔に、本発明の営巣防止装置１０を適用することができる。
【００３０】
図６は、営巣防止装置５０（第２実施形態）の側面図である。図７は営巣防止装置５０の平面図である。この営巣防止装置５０も、図４に示した装置１０と同様に、鉄塔１の平坦部６の四隅に設置されるものである。
【００３１】
この営巣防止装置５０は、鉄塔１の平坦部６の隅部Ｅを上から覆うと共に上面５２が平滑である被覆部材５１と、この被覆部材５１を平坦部６の隅部Ｅに取り付ける取り付け部材６１とを備えている。
このような被覆部材５１及び取り付け部材６１を備えている点、及び、被覆部材５１が矩形の板状である点は、本実施形態の営巣防止装置５０と、前記実施形態（図４）の営巣防止装置１０と同じである。しかし、被覆部材５１の上面５２を水平面に対して傾斜させて被覆部材５１を平坦部６の隅部Ｅに取り付ける取り付け部材６１の具体的な構成は異なる。
【００３２】
本実施形態の取り付け部材６１は、被覆部材５１と一体である固定部材６２と、この固定部材６２と鉄塔１の構成部材（支柱２）の一部２ａとを共締めする帯部材６３とを有している。
帯部材６３は可撓性を有しており、例えば、薄い樹脂製又は金属製のベルトである。図８は、固定部材６２が取り付けられる支柱２側から固定部材６２を見た図である。
【００３３】
被覆部材５１と同様に固定部材６２も矩形の板状であり、固定部材６２の一辺（上辺）が、被覆部材５１の一辺（上辺）と一致して、両部材５１，６１が連結されている。被覆部材５１及び固定部材６２は、例えば樹脂製である。固定部材６２はその面方向が高さ方向に向く部材であり、被覆部材５１は水平面に対して傾斜している部材である。
【００３４】
図８に示しているように、固定部材６２には、複数の孔６４，６５が形成されている。さらに説明すると、固定部材６２の左右方向の中心部に支柱２が沿うように、固定部材６２は設置され、この支柱２を挟んだ左右それぞれの領域に複数の孔６４，６５が形成されている。
そして、支柱２を挟んだ左右それぞれ一つの孔６４，６５を一組とし、この一組の孔６４，６５それぞれに帯部材６３を挿通させている。本実施形態では、最も中心部側の孔６４，６５に、帯部材６３が通っている。
そして、帯部材６３の端部同士が、図示しない固定具によって固定されており、帯部材６３は、固定部材６２及び支柱２の一部を周回しており、また、固定部材６２及び支柱２の一部に密着した状態で締め付けられている。
【００３５】
以上のように、帯部材６３が、固定部材６２に形成されている一対で一組の孔６４，６５を通過すると共に、鉄塔１の支柱２の一部２ａを周回して、固定部材６２を支柱２の一部２ａと共締めし、固定部材６２と一体である被覆部材５１を平坦部６の隅部Ｅに固定している。
この帯部材６３によって、固定部材６２を支柱２に締め付け固定することで、被覆部材５１の上面５２を鉄塔１の中心Ｃ側に向かって下へ傾斜させて、被覆部材５１を平坦部６に取り付けることができる。
そして、支柱２の一部２ａの大きさ（形鋼のサイズ）に応じて、帯部材６３を通過させる前記一組の孔６４，６５を変更するために、複数組みの孔６４，６５が固定部材６２に形成されている。
【００３６】
また、図７に示すように、被覆部材５１と等辺山型鋼からなる支柱２の内側面との間に三角形の隙間が生じてしまう。そこで、本実施形態では、この隙間を塞ぐ、三角形の舌片５３を更に、備えている。この舌片５３は、板状である被覆部材５１の延長上に設けられており、当該被覆部材５１と一体である。この舌片５３も、鉄塔１の中心Ｃ側に向かって下へ傾斜しており、舌片５３は被覆部材５１と同じ傾斜角度で傾斜している。これにより、被覆部材５１と等辺山型鋼からなる支柱２の内側面との間に、鳥が止まることでできず、また、営巣材料を滑落させることができ、巣を作るのを阻害する。
【００３７】
以上、本実施形態に係る営巣防止装置５０によれば、帯部材６３を、固定部材６２に形成されている一組の孔６４，６５を通過させ、さらに、鉄塔１の支柱２の一部２ａを周回させることで、固定部材６２と一体である被覆部材５１を鉄塔１に取り付けることができる。さらに、この鉄塔１の支柱２の一部２ａの大きさに応じて、帯部材６３を通過させる一組の孔６４，６５を変更することができることから、様々な鉄塔１にこの営巣防止装置５０を取り付けることができる。
【００３８】
そして、鉄塔１の平坦部６のうち、高さ方向に延びる支柱２が近くに存在している隅部Ｅに、上面５２が傾斜している被覆部材５１を設置することができ、この被覆部材５１によって、営巣材料を滑落させることができ、鳥はこの隅部Ｅに巣を作ることができない。そして、この営巣防止装置５０により、鉄塔１における営巣防止の効果を継続して発揮することができる。
そして、被覆部材５１は、取り付け部材６１によって鉄塔１の平坦部６の隅部Ｅに取り付けられるため、鉄塔１のメンテナンスの際に、この営巣防止装置５０を取り外さなくても、平坦部６の隅部Ｅ以外の大部分の領域に作業者の足場を確保することができ、メンテナンス作業の邪魔になりにくい。
【００３９】
そして、被覆部材５１の上面５２を鉄塔１の中心Ｃ側に向かって下へ傾斜させて、被覆部材５１は取り付け部材６１によって取り付けられるので、被覆部材５１の上に、鳥が営巣材料を運んできても、その営巣材料を鉄塔１の中心Ｃ側に向かって落下させるので、例えば鉄塔１の近隣の住宅地側に営巣材料が落下するのを防ぐことができる。
【００４０】
また、前記各実施形態に係る営巣防止装置によれば、平坦部６の隅部Ｅであれば、任意の場所に被覆部材５１を設置可能であるため、鉄塔１の構成部材との干渉を防止することができる。
特に図４の実施形態の場合、第２アーム２４を軸２５回りに回転させることができ、また、上記の角度調整部２７及び高さ調整部２８によれば、被覆部材１１の位置を任意に変更することができる。このため、鉄塔１の構成部材との干渉を防止して、隅部Ｅに被覆部材１１を位置させることが可能となる。
図７の実施形態の場合、被覆部材５１及び固定部材６２は共に板状であり、本実施形態では樹脂製であることから、これらの一方又は双方が鉄塔１の構成部材と干渉するおそれがある場合は、その一部を切断することが可能とである。例えば、図７の二点鎖線を切断線として示しているように、被覆部材５１の両側を切断することができる。
【００４１】
本発明の営巣防止装置は、図示する形態に限らず本発明の範囲内において他の形態のものであってもよい。例えば、上記の実施形態では、被覆部材の材質を樹脂製として説明したが、金属製であってもよい。被覆部材は、材質を問わず、その上面を平滑な面とすることにより、営巣材料を落下させることができる。
【符号の説明】
【００４２】
１：鉄塔    ２：支柱（構成部材）    ３：横桁    ４ａ：ボルト    １０：営巣防止装置    １１：被覆部材    １２：上面    ２１：取り付け部材    ２７：角度調整部    ２８：高さ調整部    ３３：ナット部    ５０：営巣防止装置    ５１：被覆部材    ５２：上面    ６１：取り付け部材    ６２：固定部材    ６３：帯部材    ６４，６５：孔    Ｃ：中心    Ｅ：隅部
【図１】
2013051935.tif 000003
【図２】
2013051935.tif 000004
【図３】
2013051935.tif 000005
【図４】
2013051935.tif 000006
【図５】
2013051935.tif 000007
【図６】
2013051935.tif 000008
【図７】
2013051935.tif 000009
【図８】
2013051935.tif 000010